【手続補正書】
【提出日】平成28年7月6日(2016.7.6)
【手続補正１】
【補正対象書類名】特許請求の範囲
【補正対象項目名】請求項１
【補正方法】変更
【補正の内容】
【請求項１】
同一意図の類似文を作成するようにコンピュータを機能させるプログラムであって、
任意の同一意図文をシード文として、その中で係り合うシード語を検出するシード文解析手段と、
類義語データベースを用いて、シード語に類似する１つ以上の類義語を検索する類義語検索手段と、
前記同一意図文の集合を参照し、各文脈語をベクトルの要素として、シード語に係る各文脈語の出現頻度からなるシード語共起ベクトルを算出するシード語共起ベクトル算出手段と、
大量の一般文集合を参照し、各文脈語をベクトルの要素として、各類義語に係る各文脈語の出現頻度からなる類義語共起ベクトルを算出する類義語共起ベクトル算出手段と、
シード語に対するシード語共起ベクトルと比較して所定閾値以上の類似度となる類義語共起ベクトルの類義語を選択する類義語選択手段と、
シード語と各類義語とが共起する類似文を作成する類似文作成手段と
してコンピュータを機能させることを特徴とするプログラム。
【手続補正２】
【補正対象書類名】特許請求の範囲
【補正対象項目名】請求項２
【補正方法】変更
【補正の内容】
【請求項２】
前記シード文解析手段は、任意の同一意図文をシード文として、その中で係り合う第１シード語及び第２シード語を検出し、
前記類義語検索手段は、類義語データベースを用いて、第１シード語に類似する１つ以上の第１類義語と、第２シード語に類似する１つ以上の第２類義語とを検索し、
前記シード語共起ベクトル算出手段は、前記同一意図文の集合を参照し、各文脈語をベクトルの要素として、第１シード語に係る各文脈語の出現頻度からなる第１シード語共起ベクトルと、第２シード語に係る各文脈語の出現頻度からなる第２シード語共起ベクトルとを算出し、
前記類義語共起ベクトル算出手段は、大量の一般文集合を参照し、各文脈語をベクトルの要素として、各第１類義語に係る各文脈語の出現頻度からなる第１類義語共起ベクトルと、各第２類義語に係る各文脈語の出現頻度からなる第２類義語共起ベクトルとを算出し、
前記類義語選択手段は、第１シード語に対する第１シード語共起ベクトルと比較して所定閾値以上の類似度となる第１類義語共起ベクトルの第１類義語と、第２シード語に対する第２シード語共起ベクトルと比較して所定閾値以上の類似度となる第２類義語共起ベクトルの第２類義語とを選択し、
前記類似文作成手段は、第１シード語と各第２類義語とが共起する類似文と、各第１類義語と第２シード語と共起する類似文とを作成する
ようにコンピュータを機能させることを特徴とする請求項１に記載のプログラム。
【手続補正３】
【補正対象書類名】特許請求の範囲
【補正対象項目名】請求項５
【補正方法】変更
【補正の内容】
【請求項５】
同一意図の類似文を作成する装置であって、
任意の同一意図文をシード文として、その中で係り合うシード語を検出するシード文解析手段と、
類義語データベースを用いて、シード語に類似する１つ以上の類義語を検索する類義語検索手段と、
前記同一意図文の集合を参照し、各文脈語をベクトルの要素として、シード語に係る各文脈語の出現頻度からなるシード語共起ベクトルを算出するシード語共起ベクトル算出手段と、
大量の一般文集合を参照し、各文脈語をベクトルの要素として、各類義語に係る各文脈語の出現頻度からなる類義語共起ベクトルを算出する類義語共起ベクトル算出手段と、
シード語に対するシード語共起ベクトルと比較して所定閾値以上の類似度となる類義語共起ベクトルの類義語を選択する類義語選択手段と、
シード語と各類義語とが共起する類似文を作成する類似文作成手段と
を有することを特徴とする装置。
【手続補正４】
【補正対象書類名】特許請求の範囲
【補正対象項目名】請求項７
【補正方法】変更
【補正の内容】
【請求項７】
同一意図の類似文を作成する装置の方法であって、
前記装置は、
任意の同一意図文をシード文として、その中で係り合うシード語を検出する第１のステップと、
類義語データベースを用いて、シード語に類似する１つ以上の類義語を検索する第２のステップと、
前記同一意図文の集合を参照し、各文脈語をベクトルの要素として、シード語に係る各文脈語の出現頻度からなるシード語共起ベクトルを算出する第３のステップと、
大量の一般文集合を参照し、各文脈語をベクトルの要素として、各類義語に係る各文脈語の出現頻度からなる類義語共起ベクトルを算出する第４のステップと、
シード語に対するシード語共起ベクトルと比較して所定閾値以上の類似度となる類義語共起ベクトルの類義語を選択する第５のステップと、
シード語と各類義語とが共起する類似文を作成する第６のステップと
を実行することを特徴とする方法。
【手続補正５】
【補正対象書類名】明細書
【補正対象項目名】００１２
【補正方法】変更
【補正の内容】
【００１２】
本発明によれば、同一意図の類似文を作成するようにコンピュータを機能させるプログラムであって、
任意の同一意図文をシード文として、その中で係り合うシード語を検出するシード文解析手段と、
類義語データベースを用いて、シード語に類似する１つ以上の類義語を検索する類義語検索手段と、
同一意図文の集合を参照し、各文脈語をベクトルの要素として、シード語に係る各文脈語の出現頻度からなるシード語共起ベクトルを算出するシード語共起ベクトル算出手段と、
大量の一般文集合を参照し、各文脈語をベクトルの要素として、各類義語に係る各文脈語の出現頻度からなる類義語共起ベクトルを算出する類義語共起ベクトル算出手段と、
シード語に対するシード語共起ベクトルと比較して所定閾値以上の類似度となる類義語共起ベクトルの類義語を選択する類義語選択手段と、
シード語と各類義語とが共起する類似文を作成する類似文作成手段と
してコンピュータを機能させることを特徴とする。
【手続補正６】
【補正対象書類名】明細書
【補正対象項目名】００１３
【補正方法】変更
【補正の内容】
【００１３】
本発明のプログラムにおける他の実施形態によれば、
シード文解析手段は、任意の同一意図文をシード文として、その中で係り合う第１シード語及び第２シード語を検出し、
類義語検索手段は、類義語データベースを用いて、第１シード語に類似する１つ以上の第１類義語と、第２シード語に類似する１つ以上の第２類義語とを検索し、
シード語共起ベクトル算出手段は、同一意図文の集合を参照し、各文脈語をベクトルの要素として、第１シード語に係る各文脈語の出現頻度からなる第１シード語共起ベクトルと、第２シード語に係る各文脈語の出現頻度からなる第２シード語共起ベクトルとを算出し、
類義語共起ベクトル算出手段は、大量の一般文集合を参照し、各文脈語をベクトルの要素として、各第１類義語に係る各文脈語の出現頻度からなる第１類義語共起ベクトルと、各第２類義語に係る各文脈語の出現頻度からなる第２類義語共起ベクトルとを算出し、
類義語選択手段は、第１シード語に対する第１シード語共起ベクトルと比較して所定閾値以上の類似度となる第１類義語共起ベクトルの第１類義語と、第２シード語に対する第２シード語共起ベクトルと比較して所定閾値以上の類似度となる第２類義語共起ベクトルの第２類義語とを選択し、
類似文作成手段は、第１シード語と各第２類義語とが共起する類似文と、各第１類義語と第２シード語と共起する類似文とを作成する
ようにコンピュータを機能させることも好ましい。
【手続補正７】
【補正対象書類名】明細書
【補正対象項目名】００１６
【補正方法】変更
【補正の内容】
【００１６】
本発明によれば、同一意図の類似文を作成する装置であって、
任意の同一意図文をシード文として、その中で係り合うシード語を検出するシード文解析手段と、
類義語データベースを用いて、シード語に類似する１つ以上の類義語を検索する類義語検索手段と、
同一意図文の集合を参照し、各文脈語をベクトルの要素として、シード語に係る各文脈語の出現頻度からなるシード語共起ベクトルを算出するシード語共起ベクトル算出手段と、
大量の一般文集合を参照し、各文脈語をベクトルの要素として、各類義語に係る各文脈語の出現頻度からなる類義語共起ベクトルを算出する類義語共起ベクトル算出手段と、
シード語に対するシード語共起ベクトルと比較して所定閾値以上の類似度となる類義語共起ベクトルの類義語を選択する類義語選択手段と、
シード語と各類義語とが共起する類似文を作成する類似文作成手段と
を有することを特徴とする。
【手続補正８】
【補正対象書類名】明細書
【補正対象項目名】００１８
【補正方法】変更
【補正の内容】
【００１８】
本発明によれば、同一意図の類似文を作成する装置の方法であって、
前記装置は、
任意の同一意図文をシード文として、その中で係り合うシード語を検出する第１のステップと、
類義語データベースを用いて、シード語に類似する１つ以上の類義語を検索する第２のステップと、
同一意図文の集合を参照し、各文脈語をベクトルの要素として、シード語に係る各文脈語の出現頻度からなるシード語共起ベクトルを算出する第３のステップと、
大量の一般文集合を参照し、各文脈語をベクトルの要素として、各類義語に係る各文脈語の出現頻度からなる類義語共起ベクトルを算出する第４のステップと、
シード語に対するシード語共起ベクトルと比較して所定閾値以上の類似度となる類義語共起ベクトルの類義語を選択する第５のステップと、
シード語と各類義語とが共起する類似文を作成する第６のステップと
を実行することを特徴とする。